(57)【要約】【課題】装置動作状態の視認性を高め、かつ操作性を向上させることができる録画装置、および録画装置の録画方法を提供する。【解決手段】１セグ番組データと１２セグ番組データの同時録画処理を実行中に、同時録画処理を実行中であることを示すため、１セグメント放送チャンネルのチャンネル情報および１２セグメント放送チャンネルのチャンネル情報を同時に表示することにより、同時録画処理を実行中の１２セグメント放送チャンネルおよび１セグメント放送チャンネルを確認することができ、かつ同時録画処理を実行中における録画装置１００の動作の制限事項をユーザに意識させることができるので、録画装置１００の動作状態の視認性を高め、かつ操作性を向上させることができる。【選択図】図１
2010206310.tif 000002
【特許請求の範囲】
【請求項１】
同一周波数帯域の中で領域が分けられて放送される番組データであって、移動体受信機を対象とする移動体受信機向け放送チャンネルの番組の番組データと、固定受信機を対象とする固定受信機向け放送チャンネルの番組の番組データとを並行して記録手段に記録する録画制御手段と、
前記番組データを並行して記録していることを示すため、前記移動体受信機向け放送チャンネルに関するチャンネル情報および前記固定受信機向け放送チャンネルに関するチャンネル情報を同時に表示する表示制御手段と、
を備えたことを特徴とする録画装置。
【請求項２】
前記表示制御手段は、さらに、前記移動体受信機向け放送チャンネルの前記番組データおよび前記固定受信機向け放送チャンネルの前記番組データを並行して記録中である旨を知らせる情報を表示することを特徴とする請求項１に記載の録画装置。
【請求項３】
前記表示制御手段は、前記移動体受信機向け放送チャンネルの前記番組データおよび前記固定受信機向け放送チャンネルの前記番組データを並行して記録中に制限事項にかかる操作が行われた場合に、当該操作ができない旨を知らせる情報を表示することを特徴とする請求項１または２に記載の録画装置。
【請求項４】
前記表示制御手段は、前記チャンネル情報の表示開始から所定時間経過後、前記チャンネル情報を非表示状態にすることを特徴とする請求項１から３のいずれか一に記載の録画装置。
【請求項５】
録画制御手段が、同一周波数帯域の中で領域が分けられて放送される番組データであって、移動体受信機を対象とする移動体受信機向け放送チャンネルの番組の番組データと、固定受信機を対象とする固定受信機向け放送チャンネルの番組の番組データとを並行して記録手段に記録する録画制御工程と、
表示制御手段が、前記番組データを並行して記録していることを示すため、前記移動体受信機向け放送チャンネルに関するチャンネル情報および前記固定受信機向け放送チャンネルに関するチャンネル情報を同時に表示する表示制御工程と、
を有することを特徴とする録画装置の録画方法。
【発明の詳細な説明】
【技術分野】
【０００１】
本発明は、デジタル放送で送信される番組データを記録するための録画装置、および録画装置の録画方法に関する。
【背景技術】
【０００２】
近年、地上デジタル放送、ＢＳ（Broadcasting  Satellite）放送、１１０度ＣＳ（Communication  Satellite）放送といった衛星デジタル放送が実用化されていることに伴い、デジタル放送で送信される番組データを記録する録画装置が普及している。
【０００３】
ところで、地上デジタル放送では、日本国内においては、１つのチャンネルを１３のセグメントに分割している。これにより、セグメント単位で帯域を利用できるようになっている。そして、多チャンネル放送では、１セグメントを使った移動体受信機向けの放送（以下、１セグメント放送とする）を行い、残りの１２セグメントを使った固定受信機向けの１チャンネルのハイビジョン放送（ＨＤＴＶ：High  Definition  Television）あるいは３チャンネルの標準画質の放送（ＳＤＴＶ：Standard  Definition  Television）を行うことができるようになっている。
【０００４】
従来、デジタル放送で送信される番組データを記録する番組録画装置として、特許文献１に記載されているような番組録画装置が開示されている。この番組録画装置は、受信した番組データから分離した移動体受信機向け放送の番組の番組データ（移動機用番組データ）と、固定受信機向け放送の番組の番組データ（固定機用番組データ）とを記録媒体に記録して、固定受信機向け放送の番組と移動体受信機向け放送の番組とを双方とも再生できるようにしている。
【先行技術文献】
【特許文献】
【０００５】
【特許文献１】特開２００７−２５１８０３号公報
【発明の概要】
【発明が解決しようとする課題】
【０００６】
しかしながら、上記特許文献１に記載の番組録画装置によれば、移動体受信機向け放送の番組の番組データと固定受信機向け放送の番組の番組データとを並行して記録中に、他の番組の番組データを録画することができないなど、番組録画装置の動作に制限事項がある場合に、ユーザに対してその制限事項を意識させることができない、という課題がある。
【０００７】
また、１セグメントを使った移動体受信機向けの放送は、通常、１２セグメントを使った固定受信機向けの放送の番組と同じ番組を放送するが、固定受信機向けの放送が３チャンネルの標準画質の放送に切り換えられている時間帯においては、当該３チャンネルの標準画質の放送のうち、１つのチャンネルの放送の番組と同じ番組しか放送されない。しかしながら、上記特許文献１に記載の番組録画装置によれば、移動機用番組データと固定機用番組データとを並行して記録する際に、移動体受信機向けの放送の番組と固定受信機向けの放送の番組とが同じ番組であることを確認することができない、という課題がある。
【０００８】
本発明は、上記に鑑みてなされたものであって、装置動作状態の視認性を高め、かつ操作性を向上させることができる録画装置、および録画装置の録画方法を提供することを目的とする。
【課題を解決するための手段】
【０００９】
上述した課題を解決し、目的を達成するために、本発明は、同一周波数帯域の中で領域が分けられて放送される番組データであって、移動体受信機を対象とする移動体受信機向け放送チャンネルの番組の番組データと、固定受信機を対象とする固定受信機向け放送チャンネルの番組の番組データとを並行して記録手段に記録する録画制御手段と、前記番組データを並行して記録していることを示すため、前記移動体受信機向け放送チャンネルに関するチャンネル情報および前記固定受信機向け放送チャンネルに関するチャンネル情報を同時に表示する表示制御手段と、を備えたことを特徴とする。
【００１０】
また、本発明は、録画制御手段が、同一周波数帯域の中で領域が分けられて放送される番組データであって、移動体受信機を対象とする移動体受信機向け放送チャンネルの番組の番組データと、固定受信機を対象とする固定受信機向け放送チャンネルの番組の番組データとを並行して記録手段に記録する録画制御工程と、表示制御手段が、前記番組データを並行して記録していることを示すため、前記移動体受信機向け放送チャンネルに関するチャンネル情報および前記固定受信機向け放送チャンネルに関するチャンネル情報を同時に表示する表示制御工程と、を有することを特徴とする。
【発明の効果】
【００１１】
本発明によれば、装置動作状態の視認性を高め、かつ操作性を向上させることができる、という効果を奏する。
【図面の簡単な説明】
【００１２】
【図１】図１は、本実施の形態にかかる録画装置の構成を示すブロック図である。
【図２】図２は、録画装置の機能構成を示すブロック図である。
【図３】図３は、ＬＣＤパネルに表示した画面の一例を示す図である。
【図４】図４は、ＬＣＤパネルに表示した画面の一例を示す図である。
【図５】図５は、画面表示処理の流れを示すフローチャートである。
【図６】図６は、リモートコントローラの一例を示す図である。
【発明を実施するための形態】
【００１３】
以下に添付図面を参照して、この発明にかかる録画装置、および録画装置の録画方法の最良な実施の形態を詳細に説明する。
【００１４】
図１は、本実施の形態にかかる録画装置の構成を示すブロック図である。本実施の形態にかかる録画装置１００は、移動体受信機向けの放送である１セグメント放送の番組を受信し、固定受信機向けの放送である１２セグメント放送の番組を受信するようになっている。
【００１５】
録画装置１００は、図１に示すように、１２ｓｅｇ用チューナ１０１、１ｓｅｇ用チューナ１０２、ＯＦＤＭ（Orthogonal  Frequency  Division  Multiplexing）復調回路１０３，１０４、１２ｓｅｇ用復号回路１０５、１ｓｅｇ用復号回路１０６、およびＯＳＤ（On  Screen  Display）回路１０７を有している。
【００１６】
また、録画装置１００は、Ｄ（Digital）／Ａ（Analog）コンバータ１０８、ＬＣＤ（Liquid  Crystal  Display）パネル１０９、スイッチ１１０、およびメモリ１１１を有している。
【００１７】
さらに、録画装置１００は、ＣＰＵ（Central  Processing  Unit）１１２、ＨＤＤ（Hard  Disk  Drive）１１３、ＵＳＢ（Universal  Serial  Bus）ポート１１４、カードスロット１１５、ＥＰＧ（Electric  Program  Guide）デコード部１１６、通信Ｉ／Ｆ（Interface）１１７、およびＬＡＮ（Local  Area  Network）端子１１８を有している。
【００１８】
１２ｓｅｇ用チューナ１０１および１ｓｅｇ用チューナ１０２は、同一周波数帯域（１つのチャンネル）の中で領域（セグメント）が分けられて放送される放送波であって、地上デジタル放送用のアンテナＡＴから受け取った放送波が供給される。そして、１２ｓｅｇ用チューナ１０１および１ｓｅｇ用チューナ１０２はそれぞれアンテナＡＴから供給される放送波から、指定された放送チャンネルに対応する所定周波数の信号成分を選択して受信する受信処理を行い、ＯＦＤＭ復調回路１０３，１０４に出力する。
【００１９】
つまり、１２ｓｅｇ用チューナ１０１は、地上デジタル放送で送信される固定受信機を対象とする固定受信機向け放送チャンネルである１２セグメント放送チャンネルの放送波を受信する受信手段であり、１ｓｅｇ用チューナ１０２は地上デジタル放送で送信される移動体受信機を対象とする移動体受信機向け放送チャンネルである１セグメント放送チャンネルの放送波を受信する受信手段である。また、１２セグメント放送チャンネルとは、１つのチャンネルを複数のセグメント（１３のセグメント）に分割したうちの１２のセグメントを用いる地上デジタル放送のチャンネルであり、１セグメント放送チャンネルとは１つのセグメントを用いる地上デジタル放送のチャンネルである。
【００２０】
ＯＦＤＭ復調回路１０３，１０４は、それぞれ１２ｓｅｇ用チューナ１０１および１ｓｅｇ用チューナ１０２によって抽出された信号成分について、所定の復調処理を施し、さらに誤り訂正等の処理を施して、それぞれ番組データ（詳しくはトランスポートストリーム：Transport  Stream）を生成する。生成される番組データ（トランスポートストリーム）はそれぞれ１２ｓｅｇ用復号回路１０５および１ｓｅｇ用復号回路１０６に入力される。
【００２１】
１２ｓｅｇ用復号回路１０５および１ｓｅｇ用復号回路１０６は、それぞれ入力されるトランスポートストリームに復号化処理を施してデジタル映像信号およびデジタル音声信号を生成する。ここで、１２ｓｅｇ用復号回路１０５は１２セグメント放送用、１ｓｅｇ用復号回路１０６は１セグメント放送用である。
【００２２】
ＯＳＤ回路１０７は、入力されるデジタル映像信号について、ＯＳＤ信号を重畳して、Ｄ／Ａコンバータ１０８に出力する。このＯＳＤ信号は、ＣＰＵ１１２が生成している。
【００２３】
Ｄ／Ａコンバータ１０８は、入力されるデジタル映像信号をアナログ映像信号に変換して出力する。ＬＣＤパネル１０９は、アナログ映像信号を用いて現在視聴中のチャンネルの番組の映像を表示する。
【００２４】
そして、スイッチ１１０は各種の操作スイッチを有し、メモリ１１１はＲＡＭ，ＲＯＭなどを有している。ＲＯＭには、制御プログラムやＣＰＵ１１２が実行するプログラムが書き込まれている。ＲＡＭは、ＣＰＵ１１２によるプログラムの実行に必要なワークエリアを提供し得るようになっている。
【００２５】
ＣＰＵ１１２は、メモリ１１１に記憶されている制御プログラムに従い上述の各モジュールを制御して、映像表示や音声出力などを統括する。また、ＣＰＵ１１２は、後述する録画プログラムおよび画面表示プログラムに従い作動して、１セグメント放送チャンネルの番組の番組データの同時録画を制御する録画制御機能および同時録画中の画面表示を制御する表示制御機能を有している。ＣＰＵ１１２は、１セグメント放送チャンネルの番組の番組データの同時録画を行う場合、ＯＦＤＭ復調回路１０３，１０４によって復調された番組データを用いる。
【００２６】
なお、本実施の形態の録画装置１００で実行されるプログラムは、ＲＯＭ等に予め組み込まれて提供されるが、これに限定するものではない。例えば、本実施の形態の録画装置１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００２７】
さらに、本実施の形態の録画装置１００で実行されるプログラムを、インターネット等のネットワークに接続されたコンピュータ上に格納し、ネットワーク経由でダウンロードさせることにより提供するように構成しても良い。また、本実施の形態の録画装置１００で実行されるプログラムをインターネット等のネットワーク経由で提供または配布するように構成しても良い。
【００２８】
ＨＤＤ１１３は、ＯＦＤＭ復調回路１０３，１０４によって復調されたデータを地上デジタル放送の番組データとして記録するものである。
【００２９】
ＵＳＢポート１１４は、ＵＳＢケーブル２０３のコネクタを接続することができる。ＵＳＢポート１１４には、ＵＳＢケーブル２０３を介してＵＳＢ接続用のＨＤＤ２０１が接続される。
【００３０】
カードスロット１１５は、ＳＤメモリカード（Secure  Digital  Memory  Card）などのメモリカード２０２が差し込まれ、その差し込まれたメモリカード２０２に対するデータの読み書きを行う。メモリカード２０２には、移動体受信機向け放送チャンネルの番組の番組データなどが記録される。
【００３１】
携帯端末装置２５０は、移動体受信機であって、例えば地上デジタル放送の番組を視聴可能な携帯電話機、ＰＤＡ（Personal  Digital  Assistants）、携帯音楽プレーヤなどである。
【００３２】
ＥＰＧデコード部１１６は、ＯＦＤＭ復調回路１０３，１０４によって復調された番組データから、重畳されている後述するＥＰＧデータを分離抽出する。
【００３３】
通信Ｉ／Ｆ１１７は、ＬＡＮ端子１１８に接続される装置（例えばＬＡＮ対応のＨＤＤ２０４）との情報伝送を行う。
【００３４】
ＬＡＮ端子１１８は、イーサーネットを用いた一般的なＬＡＮ対応ポートとして使用される。ＬＡＮ端子１１８は、ＬＡＮ対応の外付けＨＤＤ２０４等の機器が接続され、これらの機器と情報伝送を行うために使用される。
【００３５】
次に、図２を用いて、本実施の形態にかかる録画装置１００のメモリ１１１にインストールされている録画プログラムおよび画面表示プログラムがＣＰＵ１１２に実行させる機能のうち、本実施の形態にかかる録画装置１００が備える特長的な機能について説明する。
【００３６】
図２は、録画装置の機能構成を示すブロック図である。図２に示すように、録画装置１００は、録画プログラムおよび画面表示プログラムに従うことにより、録画制御部２１０および表示制御部２１１を実現する。
【００３７】
録画制御部２１０は、スイッチ１１０に備えられたスイッチを用いた所定の操作によって、地上デジタル放送の番組の録画を実行するように指示された場合に、１セグメント放送チャンネルの番組の同時録画処理を実行する。ここで同時録画処理とは、１２セグメント放送チャンネルの番組の番組データ（以下、１２セグ番組データとする）に加えて、１セグメント放送チャンネルの番組の番組データ（以下、１セグ番組データとする）を同時にＨＤＤ１１３に記録することによって、携帯端末装置２５０向けに番組を録画することである。ここでは、１２セグ番組データと１セグ番組データとを同時にＨＤＤ１１３に記録しているが、１２セグ番組データと、１セグ番組データとを並行してＨＤＤ１１３に記録するものであれば、これに限定するものではない。例えば、記録開始時刻を同時にするほか、１セグ番組データの記録開始時刻を１２セグ番組データよりも少し遅らせ、記録終了時刻が同じになるようにしてＨＤＤ１１３に記録しても良い。
【００３８】
表示制御部２１１は、同時録画処理を実行中に、スイッチ１１０に備えられたスイッチを用いた所定の操作によって、録画装置１００の動作状態の表示を実行するように指示された場合に、同時録画処理を実行中である旨を知らせる情報や、同時録画処理を実行していることを示すため、１セグメント放送チャンネルに関する情報（例えば、チャンネル番号など）であるチャンネル情報および１２セグメント放送チャンネルに関する情報（例えば、チャンネル番号など）であるチャンネル情報を、ＯＳＤ信号としてＯＳＤ回路に同時に出力する。これにより、表示制御部２１１は、現在視聴中のチャンネルの番組の映像に、同時録画処理を実行中である旨を知らせる情報やチャンネル情報などを重畳した画面をＬＣＤパネル１０９に表示する。
【００３９】
なお、本実施の形態では、同時録画処理を実行中である旨を知らせる情報およびチャンネル情報を表示しているが、少なくともチャンネル情報が表示されていれば、これに限定するものではない。また、同時録画処理を実行中である旨を知らせる情報およびチャンネル情報は、表示開始から所定時間経過後、非表示状態に移行するものとする。
【００４０】
表示制御部２１１は、同時録画処理が実行されると、ＥＰＧデコード部１１６から取得される１セグメント放送チャンネルのＥＰＧデータおよび１２セグメント放送チャンネルのＥＰＧデータからチャンネル情報を取得する。
【００４１】
ここで、ＥＰＧデータは電子的な番組情報である、録画装置１００は後述するＳＩ（Service  Information）を放送信号が分離し、そのＳＩに含まれるＥＰＧデータを用いることにより、ＬＣＤパネル１０９に番組表を表示することができる。
【００４２】
デジタル放送では、ＥＰＧデータがサービス情報（ＳＩ）として放送信号に重畳されている。ＳＩには、デジタル放送の番組を視聴するために必要な情報や、ＥＩＴ（Event  Information  Table）があり、ＥＩＴ中にＥＰＧデータが含まれている。
【００４３】
ＥＰＧデータには、例えば、チャンネル番号、チャンネルロゴ、チャンネルの名称、番組名（番組のタイトル）、番組のジャンル、番組開始時刻、番組終了時刻、番組内容などのチャンネル情報が含まれている。
【００４４】
図３は、ＬＣＤパネルに表示した画面の一例を示す図である。表示制御部２１１は、図３に示すように、同時録画処理を実行中に、録画装置１００の動作状態の表示を実行するように指示された場合、現在視聴中のチャンネルに関する情報であって、例えば、現在視聴中のチャンネルの選局を指示するためのスイッチ１１０（または後述するリモートコントローラ）のボタン番号３０１ａ、チャンネルロゴ３０１ｂ、チャンネル番号３０１ｃ、放送サービス３０１ｄ、現在時刻３０１ｅ、番組名３０２ａ、番組についての情報を表すアイコン３０２ｂ、放送時間３０２ｃなどのチャンネル情報３０１，３０２、１セグ番組データの同時録画処理を実行中である旨を知らせる情報３０３、１２セグメント放送チャンネルのチャンネル情報３０４、および１セグメント放送チャンネルのチャンネル情報３０５を現在視聴中のチャンネルの番組の映像３０６に重畳した画面３００をＬＣＤパネル１０９に同時に表示する。
【００４５】
例えば、地上デジタル放送では、一般的に、３桁の数字により各チャンネルのチャンネル番号を表し、チャンネル番号を表す３桁の数字のうち、下一桁の数字がそのチャンネルで放送している番組の編成を表す数字となっている。よって、１セグメント放送チャンネルのチャンネル番号の下一桁と、１２セグメント放送チャンネルのチャンネル番号の下一桁とが同一であれば、同時録画処理を実行中の１セグメント放送チャンネルの番組と１２セグメント放送チャンネルの番組とが同一であることが確認できる。図３に示す画面においては、１２セグメント放送チャンネルのチャンネル情報３０４であるチャンネル番号「１４１」の下一桁「１」と、１セグメント放送チャンネルのチャンネル情報３０５であるチャンネル番号「１５０」の下一桁「０」と、が一致していないため、同時録画処理を実行中の１セグメント放送チャンネルの番組と１２セグメント放送チャンネルの番組とが同一でないことが確認できる。また、同時録画処理を実行中に現在視聴中のチャンネルのチャンネル情報などの表示が指示された場合に、同時録画処理を実行中の１セグメント放送チャンネルのチャンネル情報および１２セグメント放送チャンネルのチャンネル情報を表示することにより、他の番組の番組データを録画することができないなど、同時録画処理を実行中における録画装置１００の動作の制限事項をユーザに意識させることができる。
【００４６】
なお、表示制御部２１１は、同時録画処理を実行中でない間に録画装置１００の動作状態の表示を実行するように指示された場合、現在視聴中のチャンネルのチャンネル情報３０１，３０２のみを現在視聴中のチャンネルの番組の映像３０６に重畳した画面３００をＬＣＤパネル１０９に表示する。
【００４７】
また、表示制御部２１１は、１セグ番組データと１２セグ番組データの同時録画処理を実行中に、他の番組データの同時録画処理を実行できないなど動作の制限事項が録画装置１００にある場合、１セグ番組データと１２セグ番組データの同時録画処理を実行中は制限事項にかかる操作ができない旨を知らせる情報を現在視聴中のチャンネルの番組の映像に重畳した画面をＬＣＤパネル１０９に表示することができる。これにより、１セグ番組データと１２セグ番組データの同時録画処理を実行中における録画装置１００の動作の制限事項をより効果的にユーザに意識させることができる。
【００４８】
図４は、ＬＣＤパネルに表示した画面の一例を示す図である。表示制御部２１１は、図４に示すように、１セグ番組データと１２セグ番組データの同時録画処理が実行中であり、スイッチ１１０に備えられたスイッチを用いた所定の操作が制限事項にかかる操作であった場合、１セグ番組データと１２セグ番組データの同時録画処理を実行中は制限事項にかかる操作ができない旨を知らせる情報４０１を映像３０６に重畳した画面３００をＬＣＤパネル１０９に表示する。
【００４９】
次に、図５を用いて、画面表示処理の流れについて説明する。図５は、画面表示処理の流れを示すフローチャートである。表示制御部２１１は、スイッチ１１０に備えられた現在視聴中のチャンネルのチャンネル情報などの画面表示を指示するための画面表示スイッチが操作されると、まず、録画制御部２１０による番組データの録画中であるか否かを判断する（ステップＳ５０１）。表示制御部２１１は、録画制御部２１０による番組データの録画中でないと判断した場合（ステップＳ５０１：Ｎｏ）、図３に示すチャンネル情報３０４，３０５および１セグ番組データと１２セグ番組データの同時録画処理を実行中である旨を知らせる情報３０３以外の他の情報を表示する（ステップＳ５０５）。
【００５０】
なお、本実施の形態では、スイッチ１１０に備えられた画面表示スイッチの操作により、画面表示を指示しているが、これに限定するものではない。本実施の形態にかかる録画装置１００を操作するリモートコントローラを用いて画面表示を指示しても良い。図６は、リモートコントローラの一例を示す図である。リモートコントローラ６００は、現在視聴中のチャンネルや番組の情報などの画面表示を指示する画面表示ボタン６０１を備えている。リモートコントローラ６００は、画面表示ボタン６０１を一度押下されると、画面表示の指示を録画装置１００に送出する。そして、録画装置１００は、図示しない受光部を介して、リモートコントローラ６００から送出された画面表示の指示を受け取る。
【００５１】
表示制御部２１１は、録画制御部２１０による番組データの録画中であると判断した場合（ステップＳ５０１：Ｙｅｓ）、１セグ番組データと１２セグ番組データの同時録画処理が実行中であるか否かを判断する（ステップＳ５０２）。表示制御部２１１は、１セグ番組データと１２セグ番組データの同時録画処理が実行中でないと判断した場合（ステップＳ５０２：Ｎｏ）、録画中のチャンネルのチャンネル番号などの録画中である旨を知らせる情報、および現在視聴中のチャンネルのチャンネル情報などの他の情報を表示する（ステップＳ５０４）。
【００５２】
また、表示制御部２１１は、１セグ番組データと１２セグ番組データの同時録画処理が実行中であると判断した場合（ステップＳ５０２：Ｙｅｓ）、同時録画処理を実行中の１２セグメント放送チャンネルおよび１セグメント放送チャンネルの両方のチャンネル番号、１セグ番組データと１２セグ番組データの同時録画処理を実行中である旨を知らせる情報、および現在視聴中のチャンネルのチャンネル情報などの他の情報を同時に表示する（ステップＳ５０３）。
【００５３】
このように、本実施の形態にかかる録画装置１００によれば、１セグ番組データと１２セグ番組データの同時録画処理を実行中に、同時録画処理を実行中であることを示すため、１セグメント放送チャンネルのチャンネル情報および１２セグメント放送チャンネルのチャンネル情報を同時に表示することにより、同時録画処理を実行中の１２セグメント放送チャンネルおよび１セグメント放送チャンネルをユーザが確認することができ、かつ同時録画処理を実行中における録画装置１００の動作の制限事項をユーザに意識させることができるので、録画装置１００の動作状態の視認性を高め、かつ操作性を向上させることができる。
【００５４】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００５５】
１００  録画装置
２１０  録画制御部
２１１  表示制御部
２５０  携帯端末装置
【図１】
2010206310.tif 000003
【図２】
2010206310.tif 000004
【図３】
2010206310.tif 000005
【図４】
2010206310.tif 000006
【図５】
2010206310.tif 000007
【図６】
2010206310.tif 000008